(57)【要約】【課題】独立した電力バックアップ部を増設することなく、故障に至る経緯を制御部から取り出せる電源装置および電源システムを提供する。【解決手段】入力電圧を所望の出力電圧に変換して外部の負荷（図示せず）に供給する主電源部１１Ａ，１１Ｂ，１１Ｃと、この主電源部１１Ａ，１１Ｂ，１１Ｃを制御する制御部７Ａ，７Ｂ，７Ｃと、制御部７Ａ，７Ｂ，７Ｃに動作電圧を供給する補助電源部６Ａ，６Ｂ，６Ｃとを備え、制御部７Ａ，７Ｂ，７Ｃは、主電源部１１Ａ，１１Ｂ，１１Ｃの動作状態を監視する監視部１４Ａ，１４Ｂ，１４Ｃを備えている。また、補助電源部６Ａ，６Ｂ，６Ｃからの動作電圧ラインに接続され、他の電源装置１Ａ，１Ｂ，１Ｃとの間で電力の供給および受給を可能にするバックアップ端子１７Ａ，１７Ｂ，１７Ｃを備えている。【選択図】図１
2008245458.tif 000002
【特許請求の範囲】
【請求項１】
入力電圧を所望の出力電圧に変換して外部に供給する主電源部と、
この主電源部を制御する制御部と、
前記制御部に動作電圧を供給する補助電源部とを備え、
前記制御部は、前記主電源部の動作状態を監視する監視部を備えた電源装置において、
前記補助電源部からの動作電圧ラインに接続され、他の電源装置との間で電力の供給および受給を可能にするバックアップ端子を備えたことを特徴とする電源装置。
【請求項２】
前記バックアップ端子に至る前記動作電圧ラインに、スイッチ素子と、前記他の電源装置への電力供給を可能にする一方向導通素子との並列回路を挿入接続し、
前記監視部は、前記主電源部の監視結果により、前記動作電圧の低下が前記補助電源部の異常によるものと判断した場合に、前記スイッチ素子をオフからオンに切り換えさせるものであることを特徴とする請求項１記載の電源装置。
【請求項３】
前記監視部による前記主電源部の監視結果を外部に送出する通信部をさらに備え、
前記監視部は、前記スイッチ素子をオフからオンに切り換えた後に、前記通信部を経由して前記主電源部の監視結果が外部に送出されると、前記スイッチ素子をオンからオフに切り換えるものであることを特徴とする請求項２記載の電源装置。
【請求項４】
前記請求項１〜請求項３の電源装置を複数配設し、
各電源装置の前記バックアップ端子どうしを接続手段で接続したことを特徴とする電源システム。
【発明の詳細な説明】
【技術分野】
【０００１】
本発明は、自身の動作状態の監視と記録を行なう制御部と、外部との通信を行なう通信部とを備えた電源装置および電源システムに関する。
【背景技術】
【０００２】
この種の電源装置は、入力電圧を所望の出力電圧に変換して負荷に供給する主電源部と、この主電源部における例えばスイッチング素子のスイッチング動作などを制御する制御部と、を備えて構成される。しかし、従来の電源装置では、制御部が主電源部の動作状態の履歴などを記録していないため、補助電源部から制御部に供給する動作電圧が、何らかの原因で低下した場合に、制御部への電力バックアップを行なう必要はなく、そのまま制御部としての動作を停止させていた。
【０００３】
一方、電源装置の制御部としてディジタル制御を行なうものが、例えば特許文献１などに提案されている。この場合の制御部は、主電源部の出力電圧や出力電流の各アナログ検出信号を、内蔵するＡ／Ｄ変換器によりディジタル信号にそれぞれ変換し、これらのディジタル信号に基づいて、スイッチング素子のスイッチング周期やデューティーを定める操作値を算出する。そして、この操作値により生成したパルス駆動信号をスイッチング素子にフィードバックすることで、定常状態や過電流状態を含めて主電源部の安定した出力制御を実現している。
【特許文献１】特開２０００−２３４５７号公報
【発明の開示】
【発明が解決しようとする課題】
【０００４】
特許文献１に開示されるようなディジタル制御部を備えた電源装置では、制御部に内蔵する記憶部を利用することで、主電源部の動作状態の履歴を記録することができる。しかし、電源装置に何らかの異常が生じ、制御部への動作電圧が低下して、制御部が正常に動作できなくなると、その時点で主電源部の動作状態の記録も途絶えてしまい、電源装置が故障に至る経緯を正確に把握することができない。
【０００５】
この場合、故障が発生した電源装置の制御部に対し、外部から電力を供給する電力バックアップ部を付加すれば、電源装置が故障に至る経緯を制御部から取り出すことができる。しかし、こうした電力バックアップ部を増設すること自体、電源装置全体の構造が大型化すると共に、電源装置が故障して、制御部から必要な情報を取り出した後に、何時までも電力バックアップ部から無駄な電力が供給され続ける懸念を生じる。
【０００６】
本発明は上記の各問題点に着目してなされたもので、独立した電力バックアップ部を増設することなく、故障に至る経緯を制御部から取り出せる電源装置および電源システムを提供することを、その目的とする。
【０００７】
また本発明の別な目的は、制御部から必要な情報を取り出した後に、無駄な電力が供給され続けることを防止した電源装置および電源システムを提供することにある。
【課題を解決するための手段】
【０００８】
本発明は、上記目的を達成するために、入力電圧を所望の出力電圧に変換して外部に供給する主電源部と、この主電源部を制御する制御部と、前記制御部に動作電圧を供給する補助電源部とを備え、前記制御部は、前記主電源部の動作状態を監視する監視部を備えた電源装置において、前記補助電源部からの動作電圧ラインに接続され、他の電源装置との間で電力の供給および受給を可能にするバックアップ端子を備えている。
【０００９】
こうした構成の電源装置では、前記バックアップ端子に至る前記動作電圧ラインに、スイッチ素子と、前記他の電源装置への電力供給を可能にする一方向導通素子との並列回路を挿入接続し、前記監視部は、前記主電源部の監視結果により、前記動作電圧の低下が前記補助電源部の異常によるものと判断した場合に、前記スイッチ素子をオフからオンに切り換えさせるものであることが好ましい。
【００１０】
また、前記監視部による前記主電源部の監視結果を外部に送出する通信部をさらに備え、前記監視部は、前記スイッチ素子をオフからオンに切り換えた後に、前記通信部を経由して前記主電源部の監視結果が外部に送出されると、前記スイッチ素子をオンからオフに切り換えるものであることが好ましい。
【００１１】
さらに、上記構成の電源装置を複数配設し、各電源装置の前記バックアップ端子どうしを接続手段で接続した電源システムによっても、上記目的を達成できる。
【発明の効果】
【００１２】
請求項１の発明によれば、複数の電源装置のバックアップ端子どうしを接続することで、一つの電源装置の動作電圧が低下した場合には、その電源装置のバックアップ端子を経由して、他の電源装置からの動作電圧の供給を受けることができる。したがって、共に運転する他の電源装置を電力バックアップ部とすることで、独立した電力バックアップ部を増設することなく、動作電圧の供給を受けている間に、故障に至る経緯を制御部から取り出すことが可能になる。
【００１３】
請求項２の発明によれば、例えば正常な電源装置の動作停止などを除き、補助電源部の異常が原因で動作電圧が低下した場合に限り、その電源装置の監視部によってスイッチ素子がオフからオンに切り換わる。したがって、補助電源部から動作電圧を正常に供給している電源装置は、自身の電源装置の一方向導通素子を経由して、異常な動作電圧の低下を起こした電源装置に、スイッチ素子を介して動作電圧を供給し続けることができる。
【００１４】
請求項３の発明によれば、補助電源部の異常が原因で動作電圧が低下した電源装置は、スイッチ素子をオンすることにより一旦外部の電源装置からの動作電圧の供給を受けるが、通信部を経由して主電源部の監視結果を外部に送出すると、スイッチ素子をオンからオフに切り換えて、他の電源装置からの動作電圧の供給を遮断する。こうすることで、制御部から必要な情報を取り出した後に、無駄な電力が外部の電源装置から供給され続けることを防止できる。
【００１５】
請求項４の発明によれば、複数の電源装置のバックアップ端子間を互いに接続手段で接続した電源システムにおいて、上述した請求項１〜請求項３の効果を享受することができる。
【発明を実施するための最良の形態】
【００１６】
以下、本発明における好ましい電源装置と電源システムの一実施形態について、添付図面を参照しながら詳細に説明する。
【００１７】
図１は、本実施例における電源システムの全体構成図を示している。ここでの電源システムは、ｎ台の電源装置１Ａ〜１Ｎと、各電源装置１Ａ〜１Ｎを統括的に監視制御するシステム制御部２０とを備えて構成される。図１では、説明の都合上３台の電源装置１Ａ，１Ｂ，１Ｃを示しているが、少なくとも２台以上の電源装置１が存在すればよい。また、図１のシステム制御部２０は、あたかも電源装置１Ａ，１Ｂ，１Ｃのそれぞれに設けられているように記載されているが、実際には各電源装置１Ａ，１Ｂ，１Ｃから離れて、１つの統括的なシステム制御部２０として設けられている。
【００１８】
ここで、電源装置１Ａの内部構成について説明すると、当該電源装置１Ａは、入力端子２Ａ，２Ａ間から直流または交流の入力電圧が印加される入力部３Ａと、この入力部３Ａで生成した矩形波電圧を直流の出力電圧に変換して、別な出力端子４Ａ，４Ａ間に所定の出力電圧を供給する主電力出力部５Ａと、入力部３Ａに印加される入力電圧を利用して、出力端子４Ａ，４Ａ間の出力電圧とは別の動作電圧を生成する補助電源部６Ａと、補助電源部６Ａからの動作電圧により作動し、電源装置１Ａ内の各部の動作を制御する制御部７Ａと、をそれぞれ備えている。また、８Ａは入力部３Ａと主電力出力部５Ａとの間を電気的に絶縁するための主トランスであり、入力部３Ａと補助電源部６Ａは主トランス８Ａの一次側に配置される一方で、主電力出力部５Ａと制御部７Ａは主トランス８Ａの二次側に配置される。入力部３Ａと主電力出力部５Ａとの間に主トランス８Ａを介在させた関係で、補助電源部６Ａと制御部７Ａとの間も、電気的な絶縁を図るためのトランス９Ａが設けられるが、これは入力部３Ａと主電力出力部５Ａがトランス８Ａを必要としない非絶縁コンバータで構成される場合に不要となる。そして、上記入力部３Ａ，主トランス８Ａおよび主電力出力部５Ａが、入力電圧を所望の出力電圧に変換して、出力端子４Ａ，４Ａ間に接続する負荷（図示せず）に供給する主電源部１１Ａとして設けられる。
【００１９】
主電源部１１Ａの構成についてさらに説明すると、ここでの入力部３Ａは一乃至複数のスイッチング素子（図示せず）を備え、制御部７Ａから与えられるパルス駆動信号により、入力部３Ａのスイッチング素子をスイッチングさせることで、主トランス８Ａの一次巻線に入力電圧が断続的に印加される。主電力出力部５Ａは、主トランス８Ａの二次巻線に誘起した電圧を整流平滑することで、出力端子４Ａ，４Ａ間に所望の出力電圧を供給する。
【００２０】
制御部７Ａは、いわゆるディジタル制御部としての構成を備えている。図１には具体的には示していないが、主電源部１１Ａへの入力電圧と、主電源部１１Ａからの出力電流および出力電圧の各アナログ検出信号を取り込んで、それぞれディジタル検出信号に変換するＡ／Ｄ変換器と、これらのディジタル検出信号に基づいて、入力部３Ａを構成するスイッチング素子のスイッチング周期やデューティーを定める操作値を算出するＰＷＭ制御器と、このＰＷＭ制御器からの操作値により生成したパルス駆動信号を、入力部３Ａのスイッチング素子にフィードバックすることで、定常状態や過電流状態を含めて出力電圧の安定化を図る駆動信号発生器とを、主電源部１１Ａへの駆動信号生成部１３Ａとして備えている。また、これとは別に制御部７Ａは、Ａ／Ｄ変換器により変換された各ディジタル検出信号を基に、主電源部３Ａの動作状態を監視し、必要に応じてその監視結果の履歴を内蔵する記憶部に記憶する監視部１４Ａを備えている。
【００２１】
さらに制御部７Ａは、前記システム制御部２０との信号のやり取りを行なうために、通信部としての通信モジュール１５Ａを備えている。この通信モジュール１５Ａは、制御部７Ａと同じ動作電圧若しくは別な動作電圧で動作するもので、この通信モジュール１５Ａを経由して、監視部１４Ａに記録された主電源部３Ａの動作状態の履歴を、外部のシステム制御部２０に送出することが可能になる。なお、通信モジュール１５Ａが制御部７Ａと別な動作電圧で動作する場合、通信モジュール１５Ａと制御部７Ａとの間を電気的に絶縁するアイソレータ（図示せず）が設けられる。
【００２２】
電源装置１Ａには、他の電源装置１Ｂ，１Ｃの制御部７Ｂ，７Ｃや通信モジュール１５Ｂ，１５Ｃとの間で、電力の供給および受給を可能にするバックアップ端子１７Ａ，１７Ａが設けられる。このバックアップ端子１７Ａ，１７Ａは、補助電源部６Ａ，６Ｂ，６Ｃのバックアップを必要とする全ての電源装置１Ａ，１Ｂ，１Ｃに設けられ、各バックアップ端子１７Ａ，１７Ｂ，１７Ｃ間（プラス側端子およびグランド端子）は、接続手段である電力供給線３１で互いに接続される。なお、この接続手段としては、例えば導電性のバスバーなどを用いてもよい。また、制御部７Ａと通信モジュール１５Ａが電気的に絶縁されている場合には、制御部７Ａと通信モジュール１５Ａのそれぞれに対応してバックアップ端子１７Ａ，１７Ａを設け、他の電源装置１Ｂ，１Ｃと各々接続手段で接続するのが好ましい。
【００２３】
電源装置１Ａにおいて、補助電源部６Ａから一方のバックアップ端子１７Ａに至る動作電圧ラインには、他の電源装置１Ｂ，１Ｃからの受給を可能にするために、例えばＭＯＳＦＥＴなどのスイッチ素子１８Ａが挿入接続される。また、このスイッチ素子１８Ａと並列に、電源装置１Ａから他の電源装置１Ｂ，１Ｃへの電力供給を常時可能にする一方向導通素子としてのダイオード１９Ａが接続される。なお、前述したような制御部７Ａと通信モジュール１５Ａが電気的に絶縁されている場合には、制御部７Ａと通信モジュール１５Ａに対応するそれぞれの動作電圧ラインに、スイッチ素子１８Ａとダイオード１９Ａとの並列回路を挿入接続する。
【００２４】
スイッチ素子１８Ａは、制御部７Ａの監視部１４Ａからの制御信号を受けてオンまたはオフする。具体的には、制御部７Ａの監視部１４Ａは、主電源部１１Ａの監視結果により、補助電源部６Ａからの動作電圧の低下が、当該補助電源部６Ａ自体の異常によるものと判断した場合に、スイッチ素子１８Ａをオフからオンに切り換える制御信号を出力するが、それ以外の場合、つまり電源起動時や、補助電源部６Ａから正常に動作電圧が供給される通常運転時や、補助電源部６Ａからの動作電圧が低下した原因が、電源装置１Ａの動作停止に伴うものであると判断した場合には、スイッチ素子１８Ａをオフしたままにする。また監視部１４Ａは、補助電源部６Ａの異常が原因で、スイッチ素子１８Ａをオフからオンに切り換えた後に、通信モジュール１５Ａを経由して主電源部１１Ａの監視結果が外部に全て送出されると、スイッチ素子１８Ａをオンからオフに切り換える制御信号を出力するように構成している。
【００２５】
その他、電源装置１Ｂ，１Ｃは、電源装置１Ａと同一の内部構成を有しているので、重複して説明はしない。但し、入力部３Ｂ，３Ｃと主電力出力部５Ｂ，５Ｃは、各々別なコンバータ構成であっても構わない。
【００２６】
次に、上記構成について、図２のフローチャートを参照しながら、その作用を説明する。ここでは便宜的に、電源装置１Ａの動作について説明するが、他の電源装置１Ｂ，１Ｃも同様と考えて差し支えない。
【００２７】
図２のステップＳ１において、電源装置１Ａの起動時には、補助電源部６Ａから動作電圧が発生して、制御部７Ａおよび通信モジュール１５Ａとしての動作が開始する。制御部５Ａの監視部１４Ａは、補助電源部６Ａからの動作電圧を監視して、この電圧値が正常な範囲内である限り、ステップＳ２において、スイッチ素子１８Ａをオフしたままの状態にする。また監視部１４Ａは、電源装置１Ａに供給される起動／停止のためのコントロール信号や、主電源部１１Ａへの入力電圧や、主電源部１１Ａからの出力電流および出力電圧を、主電源部１１Ａの動作状態として監視し、その監視結果の履歴を内蔵する記憶部に記憶する。
【００２８】
ここで、ステップＳ３において、補助電源部４Ａからの動作電圧が正常な範囲を外れて低下すると、当該監視部１４ＡはステップＳ４の手順に移行して、その電圧低下の原因が補助電源部６Ａの故障に基づくものか否かを判断する。具体的には、出力停止のコントロール信号が供給されており、入力電圧が一定の範囲内で変化がなければ、監視部１４Ａは正常な停止動作であると判断して、スイッチ素子１８Ａをオフしたまま、電源装置１Ａとしての動作を停止する（ステップＳ１１）。したがって、この場合には、外部の電源装置１Ｂ，１Ｃによる制御部７Ａへの電力バックアップは実行されない。また、出力停止のコントロール信号が供給されていないのに拘らず、入力電圧が一定の範囲を越えて低下したならば、監視部１４Ａは電源装置１Ａへの給電が停止したいわゆる停電状態であると判断し、これもスイッチ素子１８Ａをオフしたまま、電源装置１Ａとしての動作を停止する（ステップＳ１１）。
【００２９】
一方、出力停止のコントロール信号が供給されていないのに拘らず、入力電圧が一定の範囲内で変化がなければ、監視部１４Ａは補助電源部６Ａが故障したと判断し、直ちにスイッチ素子１８Ａをオフからオンに切り換える制御信号を出力する。これを受けて、ステップＳ５においてスイッチ素子１８Ａがオンすると、電源装置１Ａの制御部７Ａは外部電力の受給可能状態となる。このとき、電力供給線３１によって電源装置１Ａと並列に接続された他の電源装置１Ｂ，１Ｃは、内蔵するダイオード１９Ｂ，１９Ｃのアノード−カソード間に電位差が生じ、例えば補助電源部４Ｂからの動作電圧が最も高い電源装置１Ｂのバックアップ端子１７Ｂ，１７Ｂから電力供給線３１を経由して、電源装置１Ａの制御部７Ａに動作電圧が引き続き供給されることとなる。
【００３０】
こうして、電源装置１Ａの制御部７Ａに対する電力バックアップにより、電源装置１Ｂの動作電圧は低下するが、電源装置１Ａに対する電力バックアップが、当該電源装置１Ｂの次に動作電圧の高い例えば電源装置１Ｃと同じ電圧レベルにまで、電源装置１Ｂの動作電圧が低下すると、今度はそのタイミングで電源装置１Ｃからも電源装置１Ａの制御部７Ａに動作電圧が供給される。このように、電源装置１Ｂ単独では電源装置１Ａの電力バックアップを行なえない場合であっても、電力供給線３１によって電源装置１Ａと並列に接続された複数台の電源装置１Ｂ，１Ｃから、電源装置１Ａの制御部７Ａに対してそれぞれ電力供給を行なうことが可能になる。
【００３１】
補助電源部６Ａが故障であると判断された電源装置１Ａの制御部７Ａは、外部から動作電力の供給を受けている間に、同じく動作電圧の供給を受けた通信モジュール１５Ａを介して、それまで監視部１４Ａの記憶部に記録されていた故障に至るまでの動作状態の履歴を、外部のシステム制御部２０に送出する。監視部１４ＡはステップＳ６において、全ての履歴データがシステム制御部２０に送出されたと判断すると、電源装置１Ａの動作電圧ラインに接続するスイッチ素子１８Ａをオンからオフに切り換えさせ（ステップＳ７）、その後のステップＳ１１で電源装置１Ａとしての動作を停止する。
【００３２】
なお、前記ステップＳ７の手順で、電源装置１Ａのスイッチ素子１８Ａがオフ状態になると、この電源装置１Ａに動作電圧を供給していた他の電源装置１Ｂ，１Ｃにおけるダイオード１９Ｂ，１９Ｃの電位差が解消され、各電源装置１Ｂ，１Ｃは電源装置１Ａへの電力供給を行なうことなく、通常の運転動作に復帰する。
【００３３】
また、前記ステップＳ１の手順で、起動時には全ての電源装置１Ａ，１Ｂ，１Ｃのスイッチ素子１８Ａ，１８Ｂ，１８Ｃがオフ状態のままとなっているので、電力供給線３１によって繋がれた電源装置１Ａ，１Ｂ，１Ｃは、それぞれ干渉することなく、単独で運転している場合と同様に、それぞれ独立して起動する。また、上述したように電源装置１Ａが正常に停止する場合も、スイッチ素子１８Ａはオフ状態のままであり、外部から動作電圧の供給を受けることなく単独で停止することが可能になる。
【００３４】
以上のように、本実施例の各電源装置１Ａ，１Ｂ，１Ｃは、入力電圧を所望の出力電圧に変換して外部の負荷（図示せず）に供給する主電源部１１Ａ，１１Ｂ，１１Ｃと、この主電源部１１Ａ，１１Ｂ，１１Ｃを制御する制御部７Ａ，７Ｂ，７Ｃと、制御部７Ａ，７Ｂ，７Ｃに動作電圧を供給する補助電源部６Ａ，６Ｂ，６Ｃとを備え、制御部７Ａ，７Ｂ，７Ｃは、主電源部１１Ａ，１１Ｂ，１１Ｃの動作状態を監視する監視部１４Ａ，１４Ｂ，１４Ｃを備えたものにおいて、補助電源部６Ａ，６Ｂ，６Ｃからの動作電圧ラインに接続され、他の電源装置１Ａ，１Ｂ，１Ｃとの間で電力の供給および受給を可能にするバックアップ端子１７Ａ，１７Ｂ，１７Ｃを備えている。
【００３５】
こうすると、複数の電源装置１Ａ，１Ｂ，１Ｃのバックアップ端子１７Ａ，１７Ｂ，１７Ｃどうしを接続することで、一つの電源装置１Ａの動作電圧が低下した場合には、その電源装置１Ａのバックアップ端子１７Ａ，１７Ａを経由して、他の電源装置１Ｂ，１Ｃからの動作電圧の供給を受けることができる。したがって、共に運転する他の電源装置１Ｂ，１Ｃを電力バックアップ部とすることで、独立した電力バックアップ部を増設することなく、動作電圧の供給を受けている間に、故障に至る経緯を制御部から取り出すことが可能になる。
【００３６】
また本実施例では、補助電源部６Ａ，６Ｂ，６Ｃからバックアップ端子１７Ａ，１７Ｂ，１７Ｃに至る動作電圧ラインに、スイッチ素子１８Ａ，１８Ｂ，１８Ｃと、他の電源装置１Ａ，１Ｂ，１Ｃへの電力供給を可能にする一方向導通素子であるダイオード１９Ａ，１９Ｂ，１９Ｃとの並列回路を挿入接続し、前記主電源部１１Ａ，１１Ｂ，１１Ｃの監視結果により、動作電圧の低下が補助電源部６Ａ，６Ｂ，６Ｃの異常によるものと判断した場合に、前記スイッチ素子１８Ａ，１８Ｂ，１８Ｃをオフからオンに切り換えさせるように、監視部１４Ａ，１４Ｂ，１４Ｃを構成している。
【００３７】
こうすると、例えば電源装置１Ａにおいて、正常な電源装置１Ａの動作停止などを除き、補助電源部６Ａの異常が原因で動作電圧が低下した場合に限り、その電源装置１Ａの監視部１４Ａによってスイッチ素子１８Ａがオフからオンに切り換わる。したがって、補助電源部６Ａから動作電圧を正常に供給している例えば電源装置１Ｂは、自身の電源装置１Ｂのダイオード１９Ｂを経由して、異常な動作電圧の低下を起こした電源装置１Ａに、スイッチ素子１８Ａを介して動作電圧を供給し続けることができる。
【００３８】
また本実施例では、監視部１４Ａ，１４Ｂ，１４Ｃによる主電源部１１Ａ，１１Ｂ，１１Ｃの監視結果を外部に送出する通信モジュール１５Ａ，１５Ｂ，１５Ｃをさらに備え、スイッチ素子１８Ａ，１８Ｂ，１８Ｃをオフからオンに切り換えた後に、通信モジュール１５Ａ，１５Ｂ，１５Ｃを経由して主電源部１１Ａ，１１Ｂ，１１Ｃの監視結果が外部に送出されると、スイッチ素子１８Ａ，１８Ｂ，１８Ｃをオンからオフに切り換えるように、監視部１４Ａ，１４Ｂ，１４Ｃを構成している。
【００３９】
こうすると、補助電源部６Ａの異常が原因で動作電圧が低下した電源装置１Ａは、スイッチ素子１８Ａをオンすることにより一旦外部の電源装置１Ｂ，１Ｃからの動作電圧の供給を受けるが、通信モジュール１５Ａを経由して主電源部１１Ａの監視結果を外部のシステム制御部２０に送出すると、スイッチ素子１８Ａをオンからオフに切り換えて、他の電源装置１Ｂ，１Ｃからの動作電圧の供給を遮断する。こうすることで、制御部７Ａから必要な情報を取り出した後に、無駄な電力が外部の電源装置１Ｂ，１Ｃから供給され続けることを防止できる。
【００４０】
さらに本実施例では、複数の電源装置１Ａ，１Ｂ，１Ｃのバックアップ端子１７Ａ，１７Ｂ，１７Ｃどうしを、接続手段である電力供給線３１で接続した電源システムとしても、上述したものと同様な効果を得ることができる。
【００４１】
なお、本発明は上記実施例に限定されるものではなく、本発明の要旨の範囲において種々の変形実施が可能である。
【図面の簡単な説明】
【００４２】
【図１】本発明の一実施形態における電源装置のブロック構成図である。
【図２】同上、動作手順を示すフローチャートである。
【符号の説明】
【００４３】
１Ａ，１Ｂ，１Ｃ  電源装置
６Ａ，６Ｂ，６Ｃ  補助電源部
７Ａ，７Ｂ，７Ｃ  制御部
１１Ａ，１１Ｂ，１１Ｃ  主電源部
１４Ａ，１４Ｂ，１４Ｃ  監視部
１５Ａ，１５Ｂ，１５Ｃ  通信モジュール（通信部）
１７Ａ，１７Ｂ，１７Ｃ  バックアップ端子
１８Ａ，１８Ｂ，１８Ｃ  スイッチ素子
１９Ａ，１９Ｂ，１９Ｃ  ダイオード（一方向導通素子）
３１  電力供給線（接続手段）
【図１】
2008245458.tif 000003
【図２】
2008245458.tif 000004